(57)【要約】【課題】グリルの取り付けが容易で、仮り吊りおよび内部点検を可能にした浴室暖房乾燥機を提供する。【解決手段】下方に吸込開口７と吹出開口８を設け内部に循環用ユニット５を設けた循環部９と、この循環部９の下面に設けられる吸込口１４および吹出口１５を有したグリル１６とを備え、グリル１６を仮吊りできる吊り具２０を循環部９に伸縮自在に設けたことにより、吊り具２０がガイドとなってグリル１６の取り付けが容易になるとともに、グリル１６を仮吊り状態で循環部内が点検可能となりメンテナンス性が向上する。【選択図】  図１
2005003274.tif 000002
【特許請求の範囲】
【請求項１】
下方に吸込口開口と吹出開口を設け、内部に循環用ユニットを設けた循環部と、前記循環部の下面に設けられる吸込口および吹出口を有したグリルとを備え、前記グリルを仮吊りできる吊り具を前記循環部に伸縮自在に設けた浴室暖房乾燥機。
【請求項２】
循環部に内周面を上方に向かうに従がい縮小するテーパー面で形成した凹部と、この凹部と同芯上にグリル取付用ねじの螺合するねじ孔を設け、グリルに形成され、前記凹部に係合するテーパー面を外周面に有した凸部とを備え、この凸部に前記ねじ孔に螺合するグリル取付用ねじの挿入孔を設けた請求項１記載の浴室暖房乾燥機。
【請求項３】
グリルに設けられる吹出口を、グリルの表面より内側に向いた傾斜凹面で形成し、前記傾斜凹面にグリルを取り付けるグリル取付用ねじ孔を設け、前記グリル取付用ねじ孔の設けられた傾斜凹面を閉鎖板で閉鎖する構成とした請求項１記載の浴室暖房乾燥機。
【請求項４】
循環部に吸込開口と吹出開口を仕切る循環部側仕切り板と、この循環部側仕切り板に沿う形状で、グリルの吸込口と吹出口を仕切るグリル側仕切り板とを備え、前記循環部側仕切り板にグリル側仕切り板を対向させて設けた請求項１記載の浴室暖房乾燥機。
【請求項５】
グリル取付用ねじの設けられる近傍に、前記グリル取付用ねじが所定の締め付量となったときに、浴室の天井に当接して前記グリル取付用ねじの締め付けを規制する当接部を設けた請求項１または２記載の浴室暖房乾燥機。
【請求項６】
循環用モーターと循環用ファンおよび循環風路構成部材と熱交換器を一体的に形成した循環用ユニットと、この循環用ユニットが組み込まれる外装ケースにより循環部を形成した請求項１記載の浴室暖房乾燥機。
【請求項７】
循環部に隣接して設けられる換気部と、この換気部に設けられる電装部とを備え、換気部の一側壁を前記電装部の設けられる外装箱の一側面を共用するように構成した請求項１記載の浴室暖房乾燥機。
【発明の詳細な説明】
【０００１】
【発明の属する技術分野】
本発明は、浴室内の暖房および浴室内に吊り下げた洗濯物等を乾燥せしめる浴室暖房乾燥機に関する。
【０００２】
【従来の技術】
従来、この種の浴室暖房乾燥機は、浴室暖房乾燥機本体側に設けた差込突起にフロントカバー（グリルに相当）側に設けた係止部に係止して仮保持するものが知られている（例えば、特許文献１参照）。以下その浴室暖房乾燥機について図１１および図１２を参照しながら説明する。
【０００３】
図に示すように、浴室暖房乾燥機本体１０１の送風路摺動部１０２の鍔部１０３の縁にフロントカバー１０４を引っ掛けて仮保持するための差込突起１０５を複数個設け、フロントカバー１０４の上面の吹き出し口１０６と吸い込み口１０７との中間に差込突起１０５に引っ掛けるための横穴状をした係止部１０８を複数個設け構成していた。
【０００４】
【特許文献１】
特開２００１−２０８４１３号公報（［００４０］、図１２、図１３）
【０００５】
【発明が解決しようとする課題】
しかしながら、上記従来の浴室暖房乾燥機の構成では、フロントカバー１０４に設けた複数この横穴状の係止部１０８を、浴室暖房乾燥機本体１０１に設けた複数個の差込突起１０５に横方向から移動し引っ掛けてフロントカバー１０４を仮保持するため、差込突起１０５に係止部１０８を引っ掛ける作業が困難であるという課題があった。
【０００６】
また、仮保持された状態では、浴室暖房乾燥機本体１０１に対し、フロントカバー１０４は近接した状態で保持されるため、フロントカバー１０４を取り外さなければ浴室暖房乾燥機本体１０１の内部点検ができないという課題があった。
【０００７】
また、フロントカバー１０４を、浴室暖房乾燥機１０１に固定するグリル取付用ねじはフロントカバー１０４の表面よりねじボス等を設けてねじを固定するため、ねじボスが表面から見えてデザイン性が低下するという課題があった。
【０００８】
また、ショートサーキット防止のため送風路摺動部１０２を設けているが、部品点数が多くなり高コストになるという課題があった。
【０００９】
また、フロントカバー１０４を、浴室暖房乾燥機本体１０１にグリル取付用ねじを固定する際に、ねじを締め付け過ぎるとフロントカバー１０４の表面が変形してデザイン性が低下するという課題があった。
【００１０】
本発明は、上記従来の課題を解決するもので、グリルの取り付けが容易で仮り吊りおよび内部点検を可能にした浴室暖房乾燥機を提供することを目的とする。
【００１１】
【課題を解決するための手段】
上記従来の課題を解決するために、本発明の浴室暖房乾燥機は、下方に吸込開口と吹出開口を設け、内部に循環用ユニットを設けた循環部と、前記循環部の下面に設けられる吸込口および吹出口を有したグリルとを備え、前記グリルを仮吊りできる吊り具を前記循環部に伸縮自在に設けたものである。
【００１２】
また、循環部に内周面を上方に向かうに従がい縮小するテーパー面で形成した凹部と、この凹部と同芯上にグリル取付用ねじの螺合するねじ孔を設け、グリルに形成され前記凹部に係合するテーパー面を外周面に有した凸部とを備え、この凸部に前記ねじ孔に螺合するグリル取付用ねじの挿入孔を設けたものである。
【００１３】
また、グリルに設けられる吹出口を、グリルの表面より内側に向いた傾斜凹面で形成し、前記傾斜凹面にグリルを取り付けるグリル取付用ねじ孔を設け、前記グリル取付用ねじ孔の設けられた傾斜凹面を閉鎖板で閉鎖する構成としたものである。
【００１４】
また、循環部に吸込開口と吹出開口を仕切る循環部側仕切り板と、この循環部側仕切り板に沿う形状でグリルの吸込口と吹出口を仕切るグリル側仕切り板とを備え、前記循環部側仕切り板にグリル側仕切り板を対向させて設けたものである。
【００１５】
また、グリル取付用ねじの設けられる近傍に、前記グリル取付用ねじが所定の締め付量となったときに、浴室の天井に当接して前記グリル取付用ねじの締め付けを規制する当接部を設けたものである。
【００１６】
また、循環用モータと循環用ファンおよび循環風路構成部材と熱交換器を一体的に形成した循環用ユニットと、この循環用ユニットが組み込まれる外装ケースにより循環部を形成したものである。
【００１７】
また、循環部に隣接して設けられる換気部と、この換気部に設けられる電装部とを備え、前記換気部の一側壁を前記電装部の設けられる外装箱の一側面を共用するように構成したものである。
【００１８】
【発明の実施の形態】
請求項１に記載の発明は、下方に吸込開口と吹出開口を設け、内部に循環用ユニットを設けた循環部と、前記循環部の下面に設けられる吸込口および吹出口を有したグリルとを備え、前記グリルを仮吊りできる吊り具を前記循環部に伸縮自在に設けたことにより、吊り具を伸ばした状態でグリルを吊り下げることができ、グリルの仮吊り作業が容易となる。また、グリルを循環部にねじ止めするときには、伸縮自在に設けられる吊り具がガイドとなりグリルが所定位置に案内されて取り付けられることによりグリルの取り付けが容易となるとともに、グリルを仮吊りした状態では循環部の下面が大きく開口されることとなり、循環部の内部の点検を容易に行うことができる。
【００１９】
請求項２に記載の発明は、循環部に内周面を上方に向かうに従がい縮小するテーパー面で形成した凹部と、この凹部と同芯上にグリル取付用ねじの螺合するねじ孔を設け、グリルに形成され、前記凹部に係合するテーパー面を外周面に有した凸部とを備え、この凸部に前記ねじ孔に螺合するグリル取付用ねじの挿入孔を設けたことにより、グリル取付時にグリル側に設けた外周面にテーパー面を有する凸部が、循環部側に設けた内周面にテーパー面を有する凹部に係合してグリルが所定位置に案内されて取り付けられることとなり、グリルの取付け作業性が向上するとともに、取付けねじに特殊ねじを用いる必要がなくコストアップするのを防止することができる。
【００２０】
請求項３に記載の発明は、グリルに設けられる吹出口をグリルの表面より内側に向いた傾斜凹面で形成し、前記傾斜凹面にグリルを取り付けるグリル取付用ねじ孔を設け、グリル取付用ねじ孔の設けられた傾斜凹面を閉鎖板で閉鎖する構成としたことにより、吹出口の表面に閉鎖板を設けた場合には、隙間や段差により意匠面が不連続となるためデザイン性が低下することとなるが、閉鎖板を傾斜凹面に設けた場合には隙間は表面からの屈曲点にでるため不連続には見えにくく見栄えが良くなる。
【００２１】
請求項４に記載の発明は、循環部に吸込開口と吹出開口を仕切る循環部側仕切り板と、この循環部側仕切り板に沿う形状で、グリルの吸込口と吹出口を仕切るグリル側仕切板とを備え、前記循環部側仕切り板にグリル側仕切板を対向させて設けたことにより、吸気気流と吹出気流のショートサーキットを防止でき、浴室暖房乾燥機を設置する天井の板厚が異なる場合においても循環部側仕切板に対し、グリル側仕切板を対応させることができる。
【００２２】
請求項５に記載の発明は、グリル取付用ねじの設けられる近傍に、前記グリル取付用ねじが所定の締め付量となったときに、浴室の天井に当接して前記グリル取付用ねじの締め付けを規制する当接部を設けたことにより、グリル取付用ねじのねじ締め付け量が大き過ぎた場合に、グリルは凹み変形することとなるが、グリルが変形する前に当接部が天井面に当接してグリル取付用ねじの締め付けが規制され、グリルの変形を防止することができる。
【００２３】
請求項６に記載の発明は、循環用モーターと循環用ファンおよび循環風路構成部材と熱交換器を一体的に形成した循環用ユニットと、この循環用ユニットが組み込まれる外装ケースにより循環部を形成したことにより、外装ケースより循環用ユニットを取り外すことにより循環用モーターおよび熱交換器等の交換や補修を容易に行うことができ、メンテナンス性の向上を図ることができる。
【００２４】
請求項７に記載の発明は、循環部に隣接して設けられる換気部と、この換気部に設けられる電装部とを備え、前記換気部の一側壁を前記電装部の設けられる外装箱の一側面を共用するように構成したことにより、共用による部品点数の削減が図られ、コストダウンを行うことができる。
【００２５】
以下、本発明の実施の形態について、図面を参照しながら説明する。
【００２６】
（実施の形態１）
図１〜図１０に示すように、内部に循環用モーター１と循環用ファン２および循環用構成部材３と温水を通し温水熱を利用して加熱する熱交換器４とを一体的に形成した循環用ユニット５を外装ケース６に組み込み下方に吸込開口７と吹出開口８を形成した循環部９を設け、循環部９と隣接して室外と連通して換気を行う換気部１０を設け、換気部１０の一側壁１１を電装部１２の設けられる外装箱１３の一側面を共用するように設け、循環部９の下面に設けられる吸込口１４および吹出口１５を有したグリル１６を仮吊りできるように、グリル１６に突片１７を設けて形成した吊り孔１８に係合する釣針状の掛け部１９を有した吊り具２０を循環部９に上下自在に係止されるように設ける。
【００２７】
また、循環部９には吸込開口７と吹出開口８を仕切る循環部側仕切板２１を設け、循環部側仕切板２１に沿う形状でグリル１６の吸込口１４と吹出口１５を仕切るグリル側仕切板２２を設け、循環部側仕切板２１にグリル側仕切板２２を対向させて、または、循環部９には内周面２３を上方に向かうに従がい縮小勝手となるテーパー面で形成した凹部２４と凹部２４と同芯上にグリル取付用ねじ２５の螺合するねじ孔２６を設け、グリル１６には、循環部９側に設けた凹部２４に係合するテーパー面を外周面２７に有した凸部２８を設け、凸部２８には循環部９側に設けたねじ孔２６に螺合するグリル取付用ねじ２５の挿入孔２９を設ける。
【００２８】
また、グリル１６に設けられる吹出口１５を、グリル１６の表面３０より内側に向いた傾斜凹面３１で形成し、傾斜凹面３１にグリル１６を取り付けるグリル取付用ねじ孔３２を設け、グリル取付用ねじ孔３２の設けられた傾斜凹面を閉鎖板３３で閉鎖できるように設ける。
【００２９】
また、グリル１６には、グリル取付用ねじ２５の設けられる近傍に、グリル取付用ねじ２５が所定の締め付量となったときに、浴室の天井３４に当接してグリル取付用ねじ２５の締め付けを規制する当接部３５を設け構成する。
【００３０】
上記構成において、浴室暖房乾燥機を浴室に設置するときには、浴室の天井３４の上面側に循環部９を設け、循環部９に設けた吊り具２０を下方に引き下げた状態の掛け部１９にグリル１６に設けた突片１７に形成された吊り孔１８を掛けてグリル１６を吊り下げ、グリル１６を仮吊り状態としたのち、グリル１６を循環部９の下面に対向するように吊り具２０を縮小しながら仮吊り状態で移動し、グリル１６に設けた凸部２８を循環部９に設けた凹部２４に係合し、凸部２８のテーパー面を有した外周面２７を、凹部２４に設けたテーパー面を有した内周面２３に嵌挿し位置決めを行った状態でグリル取付用ねじ２５を凸部２８に設けた挿入孔２９より挿入し循環部９側に設けたねじ孔２６に螺合して取り付けられる。
【００３１】
このとき、グリル取付用ねじ２５を締めて行くと、グリルに設けた当接部３５が浴室の天井３４の下面に当接し、グリル取付用ねじ２５の締め付けが規制される。
【００３２】
また、循環部９とグリル１６の内側では、循環部９側に設けた循環部側仕切板２１に沿いグリル側仕切板３３が摺動して吸込流路と吹出流路が仕切られた状態となる。
【００３３】
そして、浴室の天井３４に設けた浴室暖房乾燥機を運転するとグリル１６の吸込口１４より吸い込まれた空気はグリル側仕切板２２と循環部側仕切板２１により仕切られた吸込開口７より循環部９内に吸い込まれ、循環用ファン２より送られた空気は、温水により加熱されている熱交換器４により加熱され温風となって吹出開口８よりグリル１６の吹出口１５に送られ吹出口１５より温風が浴室内に送風されて浴室の暖房または浴室内に吊り下げられた洗濯物の乾燥が行われる。
【００３４】
また、メンテナンス時において、循環部９内の点検や部品の交換等を行うときには、グリル取付用ねじ２５を緩め取り外すことにより、グリル１６は吊り具２０に吊り下げられた状態となり、循環部９の下面が開口され内部点検や部品の交換が可能になる。
【００３５】
このように本発明の実施の形態１の浴室暖房乾燥機によれば、下方に吸込開口７と吹出開口８を設け、内部に循環用ユニット５を設けた循環部９と、この循環部９に隣接し設けられる換気部１０と、換気部１０に設けられる電装部１２と、循環部９の下面に設けられる吸込口１４および吹出口１５を有したグリル１６とを備え、前記グリル１６を仮吊りできる吊り具２０を循環部９に伸縮自在に設けたことにより、吊り具２０を伸ばした状態でグリル１６を吊り下げることができ、グリル１６の仮吊り作業が容易となる。また、グリル１６を循環部９にグリル取付用ねじ２５でねじ止めするときには、伸縮自在に設けられる吊り具２０がガイドとなりグリル１６が所定位置に案内されて取り付けられることによりグリル１６の取り付けが容易となるとともに、グリル１６を仮吊りした状態で循環部９の下面が大きく開口されることとなり、循環部９の内部の点検を容易に行うことができる。
【００３６】
また、循環部９に内周面２３が上方に向かうに従がい縮小するテーパー面で形成した凹部２４と、この凹部２４と同芯上にグリル取付用ねじ２５の螺合するねじ孔２６を設け、グリル１６に凹部２４に係合するテーパー面を外周面２７に有した凸部２８と、この凸部２８にねじ孔２６に螺合するグリル取付用ねじ２６の挿入孔２９を設けたことにより、グリル１６の取付時にグリル１６側に設けた外周面２７にテーパー面を有する凸部２８が循環部９側に設けた内周面２３にテーパー面を有する凹部２４に係合してグリル１６が所定位置に案内されて取り付けられることとなり、グリル１６の取付け作業性が向上するとともに、グリル取付用ねじ２５に特殊ねじを用いる必要がなくコストアップするのが防止できる。
【００３７】
また、グリル１６に設けられる吹出口１５をグリル１６の表面より内側に向いた傾斜凹面３１で形成し、傾斜凹面３１にグリル１６を取り付けるグリル取付用ねじ孔３２の設けられた傾斜凹面３１を閉鎖板で閉鎖する構成としたことにより、吹出口１５の表面３０に閉鎖板を設けた場合には、隙間や段差により意匠面が不連続となるためデザイン性が低下することとなるが、傾斜凹面３１に設けた場合には隙間は表面３０からの屈曲点にでるため不連続には見えにくく見栄えが良くなることとなる。
【００３８】
また、循環部９に吸込開口７と吹出開口８を仕切る循環部側仕切板２１と、この循環部側仕切板２１に沿う形状で、グリル１６の吸込口１４と吹出口１５を仕切るグリル側仕切板２２とを備え、前記循環部側仕切板２１にグリル側仕切板２２を対向させてまたは摺動自在に設けたことにより、吸気気流と吹出気流のショートサーキットを防止でき、摺動自在に設けたときには、浴室暖房乾燥機を設置する浴室の天井の板厚が異なる場合においても、循環部側仕切板２１に対し、グリル側仕切板２２が上下摺動されて対応することができる。
【００３９】
また、グリル取付用ねじ２５の設けられる近傍に、グリル取付用ねじ２５が所定の締め付量となったときに、浴室の天井３４に当接してグリル取付用ねじ２５の締め付け量が大き過ぎた場合にグリル１６は凹み変形することとなるが、グリル１６が変形する前に当接部３５が浴室の天井３４に当接してグリル取付用ねじ２５の締め付けが規制され、グリル１６の変形を防止することができる。
【００４０】
また、循環用モーター１と循環用ファン２および循環風路構成部材３と熱交換器４を一体的に形成した循環用ユニット５と、この循環用ユニット５が組み込まれる外装ケース６により循環部９を形成したことにより、外装ケース６より循環用ユニット５を取り外すことにより、循環用モーター１および熱交換器４等の交換や補修を容易に行うことができ、メンテナンス性の向上を図ることができる。
【００４１】
また、換気部１０の一側壁１１を電装部１２の設けられる外装箱１３の一側面を共用するように構成したことにより、共用による部品点数の削減が図られ、コストダウンを行うことができる。
【００４２】
なお、実施の形態１では循環部９を浴室の天井３４の上面側に設け、浴室の天井３４をグリル１６と循環部９との間で挟むように構成したが図１０に示すように、循環部９にグリル１６を取り付けた状態で、浴室の天井に設置するようにしても良いことはいうまでもない。
【００４３】
【発明の効果】
以上の実施例から明らかなように、本発明によれば、下方に吸込開口と吹出開口を設け、内部に循環用ユニットを設けた循環部と、前記循環部の下面に設けられる吸込口および吹出口を有したグリルとを備え、前記グリルを仮吊りできる吊り具を前記循環部に伸縮自在に設けたので、グリル取付の施工性向上およびメンテナンス性の向上を図ることのできる浴室暖房乾燥機を提供することができる。
【００４４】
また、循環部に内周面を上方に向かうに従がい縮小するテーパー面で形成した凹部と、この凹部と同芯上にグリル取付用ねじの螺合するねじ孔を設け、グリルに形成され、前記凹部に係合するテーパー面を外周面に有した凸部とを備え、この凸部に前記ねじ孔に螺合するグリル取付用ねじの挿入孔を設けたので、ねじ合わせが容易となりグリル取り付けの施工性の向上を図ることができる。
【００４５】
また、グリルに設けられる吹出口を、グリルの表面より内側に向いた傾斜凹面で形成し、前記傾斜凹面にグリルを取り付けるグリル取付用ねじ孔を設け、前記グリル取付用ねじ孔の設けられた傾斜凹面を閉鎖板で閉鎖する構成としたので、デザイン性の向上を図ることができる。
【００４６】
また、循環部に吸込開口と吹出開口を仕切る循環部側仕切板と、この循環部側仕切板に沿う形状で、グリルの吸込口と吹出口を仕切るグリル側仕切板とを備え、前記循環部側仕切板にグリル側仕切板を対向させて設けたので、吸込気流と吹出気流のショートサーキットを防止することができ、ショートサーキットによる能力低下を防止することができる。
【００４７】
また、グリル取付用ねじの設けられる近傍に、前記グリル取付用ねじが所定の締め付け量となったときに、浴室の天井に当接して前記グリル取付用ねじの締め付けを規制する当接部を設けたので、ねじ締め付けの増大によるグリルの変形を防止することができる。
【００４８】
また、循環用モーターと、循環用ファンおよび循環風路構成部材と熱交換器を一体的に形成した循環用ユニットと、この循環用ユニットが組み込まれる外装ケースにより循環部を形成したので、複数の部材を一度に着脱することができ、メンテナンス性の向上を図ることができる。
【００４９】
また、循環部に隣接して設けられる換気部と、この換気部に設けられる電装部とを備え、前記換気部の一側壁を前記電装部の設けられる外装箱の一側面を共用するように構成したので、部品点数の削減およびコストダウンを図ることができる。
【図面の簡単な説明】
【図１】本発明の実施の形態１の浴室暖房乾燥機の取付状態を示す断面図
【図２】同浴室暖房乾燥の循環ユニットの斜視図
【図３】同浴室暖房乾燥機の構成を示す斜視図
【図４】同浴室暖房乾燥機のグリルの仮吊り状態を示す斜視図
【図５】同浴室暖房乾燥機のグリルのねじ止め状態を示す断面図
【図６】同浴室暖房乾燥機のグリルの平面図
【図７】同浴室暖房乾燥機のグリルの吹出口部分の構成を示す断面図
【図８】同浴室暖房乾燥機の当接部の構成を示す断面図
【図９】同浴室暖房乾燥機のグリルの背面を示す斜視図
【図１０】同浴室暖房乾燥機の他の例の取付状態を示す断面図
【図１１】従来の浴室暖房乾燥機の仮保持の構成を示す斜視図
【図１２】同浴室暖房乾燥機の断面図
【符号の説明】
１    循環用モーター
２    循環用ファン
３    循環用構成部材
４    熱交換器
５    循環用ユニット
６    外装ケース
７    吸込開口
８    吹出開口
９    循環部
１０  換気部
１１  一側壁
１２  電装部
１３  外装箱
１４  吸込口
１５  吹出口
１６  グリル
２０  吊り具
２１  循環部側仕切板
２２  グリル側仕切板
２３  内周面
２４  凹部
２５  グリル取付用ねじ
２６  ねじ孔
２７  外周面
２８  凸部
２９  挿入孔
３０  表面
３１  傾斜凹面
３２  グリル取付用ねじ孔
３３  閉鎖板
３４  浴室の天井
３５  当接部
【図１】
2005003274.tif 000003
【図２】
2005003274.tif 000004
【図３】
2005003274.tif 000005
【図４】
2005003274.tif 000006
【図５】
2005003274.tif 000007
【図６】
2005003274.tif 000008
【図７】
2005003274.tif 000009
【図８】
2005003274.tif 000010
【図９】
2005003274.tif 000011
【図１０】
2005003274.tif 000012
【図１１】
2005003274.tif 000013
【図１２】
2005003274.tif 000014
【手続補正書】
【提出日】平成15年10月14日(2003.10.14)
【手続補正１】
【補正対象書類名】明細書
【補正対象項目名】全文
【補正方法】変更
【補正の内容】
【特許請求の範囲】
【請求項１】下方に吸込開口と吹出開口を設け、内部に循環用ユニットを設けた循環部と、この循環部の下面に設けられる吸込口および吹出口を有したグリルとを備え、前記グリルを仮吊りできる吊り具を前記循環部に伸縮自在に設けた浴室暖房乾燥機。
【請求項２】循環部に内周を上方に向かうに従がい縮少するテーパー面で形成した凹部と、この凹部と同芯上にグリル取付用ねじの螺合するねじ孔を設け、グリルに形成され、前記凹部に係合するテーパー面を外周面に有した凸部とを備え、前記凸部に前記ねじ孔に螺合するグリル取付用ねじの挿入孔を設けた請求項１記載の浴室暖房乾燥機。
【請求項３】グリルを取り付けるグリル取付用ねじの設けられる近傍に、前記グリル取付用ねじが所定の締め付量となったときに、浴室の天井に当接して前記グリル取付用ねじの締め付けを規制する当接部を設けた請求項１記載の浴室暖房乾燥機。
【請求項４】循環用モータと循環用ファンおよび循環用構成部材と、熱交換器を一体的に形成した循環用ユニットと、この循環用ユニットが組み込まれる外装ケースにより循環部を形成した請求項１記載の浴室暖房乾燥機。
【請求項５】循環部に隣接して設けられる換気部と、この換気部に設けられる電装部とを備え、前記換気部の一側壁を前記電装部の設けられる外装箱の一側面を共用する構成とした請求項１記載の浴室暖房乾燥機。
【発明の詳細な説明】
【０００１】
【発明の属する技術分野】
本発明は、浴室内の暖房および浴室内に吊り下げた洗濯物等を乾燥せしめる浴室暖房乾燥機に関する。
【０００２】
【従来の技術】
従来、この種の浴室暖房乾燥機は、浴室暖房乾燥機本体側に設けた差込突起にフロントカバー（グリルに相当）側に設けた係止部に係止してフロントカバーを仮保持するものが知られている（例えば、特許文献１参照）。
【０００３】
以下、その浴室暖房乾燥機について図９および図１０を参照しながら説明する。
【０００４】
図に示すように、浴室暖房乾燥機本体１０１の送風路摺動部１０２の鍔部１０３の縁にフロントカバー１０４を引っ掛けて仮保持するための差込突起１０５を複数個設け、フロントカバー１０４の上面の吹き出し口１０６と吸い込み口１０７との中間に差込突起１０５に引っ掛けるための横穴状をした係止部１０８を複数個設け、複数個の横穴状の係止部１０８を浴室暖房乾燥機本体１０１に設けた複数個の差込突起１０５に横方向から移動し引っ掛けてフロントカバー１０４を仮保持している。
【０００５】
【特許文献１】
特開２００１−２０８４１３号公報（［００４０］図１２、図１３）
【０００６】
【発明が解決しようとする課題】
このような従来の浴室暖房乾燥機では、差込突起１０５に係止部１０８を引っ掛ける作業が困難であるという課題があり、グリルの取り付けが仮り吊りを可能にすることが要求されている。
【０００７】
また、仮保持にされた状態では、浴室暖房乾燥機本体１０１に対し、フロントカバー１０４は近接した状態で保持されるため、フロントカバー１０４を取り外さなければ浴室暖房乾燥機本体１０１の内部点検ができないという課題があり、内部点検を可能にすることが要求されている。
【０００８】
また、フロントカバー１０４を浴室暖房乾燥機本体１０１にグリル取付用ねじを固定する際にねじを締め付けすぎるとフロントカバー１０４の表面が変形してデザイン性が低下するという課題があり、取付用ねじが締め付けすぎないようにすることが要求されている。
【０００９】
本発明は、このような従来の課題を解決するものであり、グリルの取り付けが容易で仮り吊りおよび、内部点検を可能にすることができ、またグリル表面の変形が防止できる浴室暖房乾燥機を提供することを目的としている。
【００１０】
【課題を解決するための手段】
本発明の浴室暖房乾燥機は上記目的を達成するために、内部に循環用ユニットを設けた循環部の下面に設けられるグリルを仮吊りできる吊り具を前記循環部に伸縮自在に設けたものである。
【００１１】
この手段により、グリルの取り付けが容易で、グリルの仮吊りおよび内部点検を可能にした浴室暖房乾燥機が得られる。
【００１２】
また、他の手段は、循環部にテーパー面で凹部を形成し、グリルに前記凹部に係合するテーパー面を有した凸部を設け、前記凸部にグリル取付用ねじの挿入孔を設けたものである。
【００１３】
この手段により、グリルが凹部と凸部によりグリルが所定位置に案内されてグリルを容易に取り付けることができる。
【００１４】
また、他の手段は、グリル取付用ねじが所定の締め付量となったときに、浴室の天井に当接して前記グリル取付用ねじの締め付けを規制する当接部を設けたものである。
【００１５】
この手段により、グリルの変形が防止され、変形によるグリルのデザイン性が低下するのを防止できる。
【００１６】
また、他の手段は、循環用ユニットが組み込まれる外装ケースにより循環部を形成したものである。
【００１７】
この手段により、循環用モータおよび熱交換器等の交換や補修を容易に行うことができる。
【００１８】
また、他の手段は、循環部に隣接して設けられる換気部の一側壁を電装箱の設けられる外装箱の一側面を共用するように設けたものである。
【００１９】
この手段により、共用による部品点数の削減が図られコストダウンを行うことができる。
【００２０】
【発明の実施の形態】
本発明の請求項１記載の発明は、下方に吸込開口と吹出開口を設け、内部に循環用ユニットを設けた循環部と、この循環部の下面に設けられる吸込口および吹出口を有したグリルとを備え、前記グリルを仮吊りできる吊り具を前記循環部に伸縮自在に設けたものであり、吊り具を伸ばした状態でグリルを吊り下げることができグリルの仮吊り作業が容易となる。
【００２１】
また、グリルを循環部にねじ止めするときには、伸縮自在に設けられる吊り具がガイドとなりグリルが所定位置に案内されて取り付けられることによりグリルの取り付けが容易となるとともに、グリルを仮吊りした状態では循環部の下面が大きく開口されることとなり、循環部の内部の点検を容易に行うことができる。
【００２２】
また、請求項２記載の発明は、循環部に内周面を上方に向かうに従がい縮少するテーパー面で形成した凹部と、この凹部と同芯上にグリル取付用ねじの羅合するねじ孔を設け、グリルに形成され、前記凹部に係合するテーパー面を外周面に有した凸部とを備え、前記凸部に前記ねじ孔に螺合するグリル取付用ねじの挿入孔を設けたものであり、グリル取付時にグリル側に設けた外周面にテーパー面を有する凸部が、循環部側に設けた内周面にテーパー面を有する凹部に係合してグリルが所定位置に案内されて取り付けられることとなり、グリルの取付け作業性が向上するとともに、取付けねじに特殊ねじを用いる必要がなくコストアップするのを防止することができる。
【００２３】
また、請求項３記載の発明は、グリルを取り付けるグリル取付用ねじの設けられる近傍に、前記グリル取付用ねじが所定の締め付量となったときに、浴室の天井に当接して前記グリル取付用ねじの締め付けを規制する当接部を設けたものであり、グリル取付用ねじのねじ締め付量が大き過ぎた場合に、グリルは凹み変形することとなるが、グリルが変形する前に当接部が天井面に当接してグリル取付用ねじの締め付けが規制され、グリルの変形を防止することができる。
【００２４】
また、請求項４記載の発明は、循環用モータと循環用ファンおよび循環用構成部材と熱交換器を一体的に形成した循環用ユニットと、この循環用ユニットが組み込まれる外装ケースにより循環部を形成したものであり、外装ケースより循環用ユニットを取り外すことにより循環用モータおよび熱交換器等の交換や補修を容易に行うことができ、メンテナンス性を図ることができる。
【００２５】
また、請求項５記載の発明は、循環部に隣接して設けられる換気部と、この換気部に設けられる電装部とを備え、前記換気部の一側壁を前記電装部の設けられる外装箱の一側面を共用するものであり、共用による部品点数の削減が図られコストダウンを行うことができる。
【００２６】
以下、本発明の実施の形態について図面を参照しながら説明する。
【００２７】
（実施の形態）
図１〜図７に示すように、内部に循環用モータ１と循環用ファン２および循環用構成部材３と温水を通し温水熱を利用して加熱する熱交換器４とを一体的に形成した循環用ユニット５を外装ケース６に組み込み下方に吸込開口７と吹出開口８を形成した循環部９を設け、循環部９と隣接し、室外と連通して換気を行う換気部１０を設け、換気部１０の一側壁１１を電装部１２の設けられる外装箱１３の一側面を共用するように設け、循環部９の下面に設けられる吸込口１４および吹出口１５を有したグリル１６を仮吊りできるように、グリル１６に突片１７を設けて形成した吊り孔１８に係合する釣針状の掛け部１９を有した吊り具２０を循環部９に上下自在に係止されるように設ける。
【００２８】
また、循環部９には内周面２１を上方に向かうに従がい縮少勝手となるテーパー面で形成した凹部２２と、凹部２２と同芯上にグリル取付用ねじ２３の螺合するねじ孔２４を設け、グリル１６には循環部９側に設けた凹部２２に係合するテーパー面を外周面２５に有した凸部２６を設け凸部２６には循環部９側に設けたねじ孔２４に螺合するグリル取付用ねじ２３の挿入孔２７を設ける。
【００２９】
また、グリル１６にはグリル取付用ねじ２３の設けられる近傍にグリル取付用ねじ２３が所定の締め付量となったときに、浴室の天井２８に当接してグリル取付用ねじ２３の締め付けを規制する当接部２９を設け構成する。
【００３０】
上記構成において、浴室暖房乾燥機を浴室に設置するときには、浴室の天井２８の上面側に循環部９を設け、循環部９に設けた吊り具２０を下方に引き下げた状態の掛け部１９にグリル１６に設けた突片１７に形成された吊り孔１８を掛けてグリル１６を吊り下げ、グリル１６を仮吊り状態としたのち、グリル１６を循環部９の下面に対向するように吊り具２０を縮少しながら仮吊り状態で移動し、グリル１６に設けた凸部２６を循環部９に設けた凹部２２に係合し、凸部２６のテーパー面を有した外周面２５を、凹部２２に設けたテーパー面を有した内周面２１に嵌挿し位置決めを行った状態でグリル取付用ねじ２３を凸部２６に設けた挿入孔２７より挿入し、循環部９側に設けたねじ孔２４に螺合して取り付けられる。
【００３１】
このとき、グリル取付用ねじ２３を締めて行くと、グリル１６に設けた当接部２９が浴室の天井２８の下面に当接し、グリル取付用ねじ２３の締め付けが規制されることとなる。
【００３２】
そして、浴室の天井２８に設けた浴室暖房乾燥機を運転すると、グリル１６の吸込口１４より吸い込まれた空気は吸込開口７より循環部９内に吸い込まれ、循環用ファン２より送られた空気は、温水により加熱されている熱交換器４により加熱され温風となって吹出開口８よりグリル１６の吹出口１５に送られ、吹出口１５より温風が浴室内に送風されて浴室の暖房または浴室内に吊り下げられた洗濯物の乾燥が行われる。
【００３３】
また、メンテナンス時において、循環部９内の点検や部品の交換を行うときには、グリル取付用ねじ２３を緩め取り外すことにより、グリル１６は吊り具２０に吊り下げられた状態となり、循環部９の下面が開口され内部点検や部品の交換が可能になる。
【００３４】
なお、実施の形態１では循環部９を浴室の天井２８の上面側に設け、浴室の天井２８をグリル１６と循環部９との間で挟むように構成したが、図８に示すように、循環部９にグリル１６を取り付けた状態で浴室の天井２８に設置するようにしても良いことはいうまで
もない。
【００３５】
【発明の効果】
本発明によれば、グリルの取り付けが容易で、グリルの仮吊りおよび内部点検を可能にした浴室暖房乾燥機を提供できる。
【００３６】
また、グリルの変形が防止され、変形によるグリルのデザイン性の低下するのを防止できる浴室暖房乾燥機を提供できる。
【図面の簡単な説明】
【図１】本発明の実施の形態１の浴室暖房乾燥機の取付状態を示す断面図
【図２】同浴室暖房乾燥機の循環ユニットの斜視図
【図３】同浴室暖房乾燥機の構成を示す斜視図
【図４】同浴室暖房乾燥機のグリルの仮吊り状態を示す斜視図
【図５】同浴室暖房乾燥機のグリルのねじ止め状態を示す断面図
【図６】同浴室暖房乾燥機の当接部の構成を示す断面図
【図７】同浴室暖房乾燥機のグリルの背面を示す斜視図
【図８】同浴室暖房乾燥機の他の例の取付状態を示す断面図
【図９】従来の浴室暖房乾燥機の仮保持の構成を示す斜視図
【図１０】同浴室暖房乾燥機の断面図
【符号の説明】
１  循環用モータ
２  循環用ファン
３  循環用構成部材
４  熱交換器
５  循環用ユニット
６  外装ケース
７  吸込開口
８  吹出開口
９  循環部
１０  換気部
１１  一側壁
１２  電装部
１３  外装箱
１４  吸込口
１５  吹出口
１６  グリル
２０  吊り具
２１  内周面
２２  凹部
２３  グリル取付用ねじ
２４  ねじ孔
２５  外周面
２６  凸部
２７  挿入孔
２８  浴室の天井
２９  当接部


【手続補正２】
【補正対象書類名】図面
【補正対象項目名】全図
【補正方法】変更
【補正の内容】
【図１】
2005003274.tif 000015
【図２】
2005003274.tif 000016
【図３】
2005003274.tif 000017
【図４】
2005003274.tif 000018
【図５】
2005003274.tif 000019
【図６】
2005003274.tif 000020
【図７】
2005003274.tif 000021
【図８】
2005003274.tif 000022
【図９】
2005003274.tif 000023
【図１０】
2005003274.tif 000024